(57)【要約】【課題】巻上機の外気に対する遮蔽性やモ−タとブレ−キの隔離性を向上すると共に、それに伴って起こる温度上昇を抑制するための手段を提供する。【解決手段】内周にモ−タの電機子２を取り付けた椀状のハウジング１と、その内部空間に配置されツナ車部とモ−タの界磁部を備えて一体に形成された椀状のロ−タ５と、椀状ロ−タ５の内部空間に収納されたブレ−キ８と、速度検出器とを備え、椀状ハウジング１の開口部に取り付けられた背板４とから成り、前記背板４に保守用のアクセス穴を設け、このアクセス穴を閉塞するカバーを前記背板４に取り付けて椀状ハウジング１を全面閉塞すると共に、椀状ロ−タ５の外周部の所定位置とハウジング部材の対向する位置、および椀状ロ−タの外周部の所定位置と背板部材の対向する位置にラビリンス１２、１３を形成した。【選択図】　　　　図１
2004075353.tif 000002
【特許請求の範囲】
【請求項１】
内周にモ−タの電機子を取り付けた椀状のハウジングと、その内部空間に配置されツナ車部とモ−タの界磁部を備えて一体に形成された椀状のロ−タと、椀状ロ−タの内部空間に収納されたブレ−キと、速度検出器とを備え、椀状ハウジングの開口部に取り付けられた背板とからなるエレベータ用巻上機において、
椀状ロ−タの外周部の所定位置とハウジング部材の対向する位置、および椀状ロ−タの外周部の所定位置と背板部材の対向する位置にラビリンスを形成したことを特徴とするエレベ−タ用巻上機。
【請求項２】
内周にモ−タの電機子を取り付けた椀状のハウジングと、その内部空間に配置されツナ車部とモ−タの界磁部を備えて一体に形成された椀状のロ−タと、椀状ロ−タの内部空間に収納されたブレ−キと、速度検出器とを備え、椀状ハウジングの開口部に取り付けられた背板とからなるエレベータ用巻上機において、
前記背板に保守用のアクセス穴を設け、このアクセス穴を閉塞するカバーを前記背板に取り付けて椀状ハウジングを全面閉塞すると共に、椀状ロ−タの外周部の所定位置とハウジング部材の対向する位置、および椀状ロ−タの外周部の所定位置と背板部材の対向する位置にラビリンスを形成したことを特徴とするエレベ−タ用巻上機。
【請求項３】
椀状ハウジングの反背板側の側面に穴を空け、椀状ロ−タの反ブレ−キ側の側面にフィンを設けると共に、椀状ロ−タに一体に形成されたツナ車のモ−タ側端面とハウジング内側面との間に通風スペ−スを設けたことを特徴とする請求項１または２に記載のエレベ−タ用巻上機。
【発明の詳細な説明】
【０００１】
【発明の属する技術分野】
この発明は、エレベ−タ用巻上機に関するものである。
【０００２】
【従来の技術】
図３、図４は例えば特許平１２−２８９９５４号公報に示された従来の巻上機を示すものである。図４において、１は椀状に形成されたハウジングでその内周にコイルを持つモ−タの電機子２が取付けられており、ボルト３によって背板４が取付けられている。５は椀状に形成されたロ−タで、片方にロ−プ溝５ａが加工されてツナ車部をなし、他方の外周面には磁石６が取付けられモ−タの界磁部分をなす。また、ロ−タ５の椀状底面円盤部５ｂには穴はなく、円盤の両横の空間は仕切られている。ロ−タ５の中心には軸受を介して固定軸７が通っており、モ−タの発生するトルクによりロ−タ５が回転する。５ｃはロ−タ５の磁石側の内周面であり、この内周面にブレ−キライニング８ａが押付けられて制動力を発生する。８はロ−タ内周空間に収納されたブレ−キで、背板４に固定されているが、その詳細構造は本考案に直接の関わりはないので説明は省略する。
【０００３】
図４は従来の巻上機を背板側から見た図で、同一番号は図３と同一の部品を示す。図４において、９は速度検出器を示し、ブレ−キ内部に設けられた空間に収納され、ロ−タ５の回転信号を出す。背板４は上下でハウジング１にボルト３で固定されており、その機内側の面にはブレ−キが取付けられている。このブレ−キの保守のため、機内にアクセスできるよう背板の両側は図示のごとく所定形状に削られている。１０はハウジング１の開口部で、ここを通ってロ−プ１１がツナ車に掛けられる。
【０００４】
【発明が解決しようとする課題】
従来の巻上機において背板４はブレ−キ及び固定軸を保持するための力学的機能のみを主眼としており、力学的に不要な部位は極力削り落とされた構造となっていた。このため、モ−タ部、ブレ−キ部が外気に暴露された構造となっていた。エレベ−タの巻上機はビルの建設工事段階から使用される事が多いので、セメント粉や鉄骨の切り粉、溶接のスパッタなどの塵埃、異物に晒されることになり、コイルや絶縁を直接損傷したり、塵埃の機内堆積をもたらし、絶縁抵抗低下、短絡などの事故を招くおそれがあった。また、ロ−プには油が沁みこませてあり、ツナ車の回転遠心力によって油が飛散し、機内のモ−タ巻線に付着したり、ブレ−キの摺動面へ回り込んだりするという不具合を招く恐れがあった。
【０００５】
更に、ブレ−キのライニングとロ−タ内周面との摺動による摩耗粉が発生し、モ−タ内部に侵入してコイルに付着し、絶縁劣化などを招く恐れがあった。
【０００６】
この発明は上記のような課題を解決するためになされたものであり、巻上機の外気に対する遮蔽性やモ−タとブレ−キの隔離性を向上すると共に、それに伴って起こる温度上昇を抑制するための手段を提供することを目的とする。
【０００７】
【課題を解決するための手段】
この発明に係るエレベータ巻上機は、内周にモ−タの電機子を取り付けた椀状のハウジングと、その内部空間に配置されツナ車部とモ−タの界磁部を備えて一体に形成された椀状のロ−タと、椀状ロ−タの内部空間に収納されたブレ−キと、速度検出器とを備え、椀状ハウジングの開口部に取り付けられた背板とから成り、
椀状ロ−タの外周部の所定位置とハウジング部材の対向する位置、および椀状ロ−タの外周部の所定位置と背板部材の対向する位置にラビリンスを形成したものである。
【０００８】
また、この発明に係るエレベータ巻上機は、内周にモ−タの電機子を取り付けた椀状のハウジングと、その内部空間に配置されツナ車部とモ−タの界磁部を備えて一体に形成された椀状のロ−タと、椀状ロ−タの内部空間に収納されたブレ−キと、速度検出器とを備え、椀状ハウジングの開口部に取り付けられた背板とから成り、
前記背板に保守用のアクセス穴を設け、このアクセス穴を閉塞するカバーを前記背板に取り付けて椀状ハウジングを全面閉塞すると共に、椀状ロ−タの外周部の所定位置とハウジング部材の対向する位置、および椀状ロ−タの外周部の所定位置と背板部材の対向する位置にラビリンスを形成したものである。
【０００９】
また、この発明に係るエレベータ巻上機は、椀状ハウジングの反背板側の側面に穴を空け、椀状ロ−タの反ブレ−キ側の側面にフィンを設けると共に、椀状ロ−タに一体に形成されたツナ車のモ−タ側端面とハウジング内側面との間に通風スペ−スを設けたものである。
【００１０】
【発明の実施の形態】
実施の形態１．
以下、この発明の実施の形態１を図に基づいて説明する。図１，２において同一番号は図３，４と同一部品を示す。図２においてはブレ−キなど、機内部品の表示は省略してある。図において１２、１３はそれぞれ背板部材とロ−タ５の対向面に設けられたラビリンス及びハウジング部材とロ−タの対向面に設けられたラビリンスである。このラビリンスによって、モータ部の空間がブレーキ部空間と仕切られる。背板４はハウジング端面全周をカバ−する１枚板で構成され、ブレ−キ保守のためのアクセス穴４ａ、４ｂが図示のごとく所定形状に設けられている。また、このアクセス穴４ａ、４ｂはそれぞれカバ−１４，１５を取付けて塞がれる。
【００１１】
以上のように構成することにより、モ−タ部空間がブレ−キ部空間と仕切られると共に、これら２つの空間がツナ車側の外部空間及び背板外側の外部空間とも仕切られることになるので、外部の塵埃や異物またはロ−プ油などの侵入を防ぐことができる。また、ブレ−キ摩耗粉がモ−タ内部に侵入することを防止できる。
【００１２】
実施の形態２．
次に、実施の形態２を図１及び図２に基づき説明する。図１において１６はハウジング５の椀状底面に設けられた吸気口、５ｄはロ−タ５のツナ車部内径側に形成されたフィンであり、１７はツナ車部端面とハウジングとの間に設けられた通風スペ−スである。実施の形態１ではモ−タをラビリンス構造でハウジング、背板、カバ−及び椀状ロ−タの底面部位で取り囲み、外気に対する遮蔽性を上げた。一方、運転時に機内に発生する熱の放散は悪くなるので、モ−タやブレ−キの巻線の温度上昇が許容値を超える恐れがある。実施の形態２の構成によれば、ロ−タの回転によってフィン　　のファンアクションが生じハウジング吸気口　　より吸引された空気が前記通風スペ−ス１７を通って図示の矢印の向きに流れてロ−タの椀状底面部及びハウジングの椀状底面部を冷却する。
【００１３】
その結果、機内の空気が冷却されて、コイルの温度上昇を改善する事が可能となる。
【図面の簡単な説明】
【図１】この発明の実施の形態１を示す内部構造図である。
【図２】この発明の実施の形態１及び２を示す正面図である。
【図３】従来のエレベ−タ用巻上機を示す内部構造図である。
【図４】従来のエレベ−タ用巻上機の正面図である。
【符号の説明】
１　ハウジング、２　電機子、３　ボルト、４　背板、５　ロータ、６　磁石、７　固定軸、８　ブレーキ、９　速度検出器、１０　開口部、１１　ロープ、１２　ラビリンス、１３　ラビリンス、１４　カバー、１５　カバー、１６　吸気口。
【図１】
2004075353.tif 000003
【図２】
2004075353.tif 000004
【図３】
2004075353.tif 000005
【図４】
2004075353.tif 000006